(57)【特許請求の範囲】
【請求項１】
室内に複数台配設されたベッド間に設置し、ベッド間を仕切る方向に立設する仕切壁を備え、仕切壁は、仕切る方向を左右方向とし、仕切壁の少なくとも左右いずれかの端部から所定の間隔を有した位置に椅子を設け、椅子は、仕切壁面から前方を向く座板を備え、前記所定の間隔を有した側の椅子の端部側の近傍の仕切壁にテーブルを設け、テーブルは、仕切壁面から前方を向く天板を備え、天板の設置高さは、座板の上面よりも高い位置であって、天板は、天板の前端が、前記座板の前端より前方に突出するとともに、天板の椅子側端部の前方側は、椅子側に突出し、座板のテーブル側端部の形状は、天板の前記椅子側への突出形態と略平行を成す形態とされ、さらに、座板は、左右方向に長い長方形とされ複数人着座可能であるとともに、座板の前端部とテーブル側の端部とで形成されるコーナー部の角部がない形態とされるものであって、天板の椅子側端部下面と、座板の天板側端部上面の間は、開放状態を成し、天板下方部には足を入れることができる着座空間を設けるとともに、座板と天板は、垂直方向を向いて収納可能とされる事を特徴とする間仕切家具。
【発明の詳細な説明】
【技術分野】
【０００１】
本発明は、病室の大部屋や介護・養護施設の多床室のベッド間に設置する間仕切家具に関する。
【背景技術】
【０００２】
病室などの大部屋に収容された患者のプライバシー空間を形成するため、大部屋に複数配置されたベッドの間に、間仕切家具を設置する方法が知られている。  
【０００３】
通常、大部屋は、平面視略四角形を成した部屋であって、部屋の一壁面が、病院内の廊下側に面して形成され、該壁面の略中央に引戸式出入口扉が設けられ、該壁面の対向側の壁面に建屋外を臨む窓が設置される。
【０００４】
そして、この部屋は、出入口扉から窓側に向って設定された通路により二分され、二分された病室の一方の廊下側に、廊下側壁面と平行にベッドが配置され、窓側に、窓側壁面と平行にベッドが配置され、通路を挟む対向側にも、同様な方向でベッドが配置され、合計で４台のベッドが配置され４床室とされる。
【０００５】
そして、窓側に配置されたベッドと廊下側に配置されたベッドとの間に、ベッドと平行に間仕切家具が設置され、各々のベッド空間のプライバシーが確保されている。
このような、ベッド間に設置される間仕切家具は、一般的に、仕切壁の他、テーブル用天や椅子などを備えている。
【０００６】
しかしながら、このような間仕切家具で大部屋が仕切られ、患者のプライバシー空間が形成された場合、施設によっては間仕切家具の設置平面積によって、１床当たりの床面積が削られ、患者の使用できる空間が狭くなり過ぎる場合がある。そのため、間仕切家具を小型化してベッド間のスペースを確保するようにしたものがある。（例えば、特許文献１参照。）
【先行技術文献】
【特許文献】
【０００７】
【特許文献１】特開２００９−１１６４１公報
【発明の概要】
【発明が解決しようとする課題】
【０００８】
特許文献１のように小型化された間仕切家具であっても、テーブルを使用するためには椅子が別途必要となり、間仕切家具の小型化によって生み出されたスペースが椅子によって犠牲になる。
通常、椅子の設置スペースが限られているので、別途用意される椅子は、椅子の使用者が間仕切家具の方向に向き、テーブルの下に足を入れて使用する方向に置かれることが多く、面会者が使用するといったことはほとんど想定されていない。また、不使用時の椅子が、通行やベッドの出し入れの妨げになる問題がある。
【０００９】
本願発明は、このような問題に鑑み、間仕切家具とは別に椅子を用意せずとも、テーブルを使用でき、かつ、面会者も使用できる椅子を備え、スペースが限られた部屋に設置できる間仕切家具の提供を課題とするものである。
【課題を解決するための手段】
【００１０】
そこで、上記課題を解決する為、本発明が第１の手段として構成したところは、室内に複数台配設されたベッド間に設置し、ベッド間を仕切る方向に立設する仕切壁を備え、仕切壁は、仕切る方向を左右方向とし、仕切壁の少なくとも左右いずれかの端部から所定の間隔を有した位置に椅子を設け、椅子は、仕切壁面から前方を向く座板を備え、前記所定の間隔を有した側の椅子の端部側の近傍の仕切壁にテーブルを設け、テーブルは、仕切壁面から前方を向く天板を備え、天板の設置高さは、座板の上面よりも高い位置であって、天板は、天板の前端が、前記座板の前端より前方に突出するとともに、天板の椅子側端部の前方側は、椅子側に突出し、座板のテーブル側端部の形状は、天板の前記椅子側への突出形態と略平行を成す形態とされ、さらに、座板は、左右方向に長い長方形とされ複数人着座可能であるとともに、座板の前端部とテーブル側の端部とで形成されるコーナー部の角部がない形態とされるものであって、天板の椅子側端部下面と、座板の天板側端部上面の間は、開放状態を成し、天板下方部には足を入れることができる着座空間を設けるとともに、座板と天板は、垂直方向を向いて収納可能とされる間仕切家具である。  
【発明の効果】
【００１４】
第１手段として構成したところによると、椅子は、左右方向に長い長方形の座板が仕切壁から前方に向かって設けられているので、ベッド方向に向かって複数人椅子に座ることができるので、面会者に対して、使い勝手のいい椅子が提供できる。
また、椅子の端部側近傍にテーブルが設置され、天板下面と座板上面は開放状態とされており、天板の下方に、足を入れるスペースが設けられているので、患者や面会者が、椅子の天板側にテーブル側を向いて着座し、テーブルを使用することができる。そのため、別途椅子を用意する必要がない。
【００１５】
また、座板の奥行寸法が短い場合、テーブルの使用者が、椅子の端部付近で真横に向かって着座すると、仕切壁に肩をぶつけて窮屈な姿勢を強いられることがあるため、必然的に座板の奥行寸法を長くとる必要があるが、本願発明は、天板の前方側が椅子の方向に突出するとともに、座板のテーブル側端部の形状は、天板の前記椅子側への突出形態と略平行を成す形態とされ、座板の前端部とテーブル側の端部とで形成されるコーナー部の角部がない形態とされているので、テーブルの使用者は、仕切壁にやや背を向けて斜め方向を向き肩口スペースに余裕を設けた状態の着座姿勢であっても、テーブルが遠くなることなくテーブルが使用できるので、座板の奥行寸法を短く設定でき、間仕切家具を小型化することができる。
【００１６】
さらに、座板と天板は、垂直方向に向けて収納できるので、椅子やテーブルの不使用時に、通行の邪魔にならないようにすることができる。
【図面の簡単な説明】
【００１８】
【図１】本発明の間仕切家具の使用例を示す斜視図。
【図２】本発明の間仕切家具を示す斜視図。
【図３】本発明の間仕切家具の椅子が使用状態の時を示す正面図。
【図４】本発明の間仕切家具の椅子が使用状態の時を示す背面図。
【図５】本発明の間仕切家具の椅子が収納状態の時を示す正面図。
【図６】図３のＡ−Ａ線断面図。
【図７】使用者が着座したイメージを示す概略平面図。
【図８】本発明の第１実施例の椅子が収納状態の時を示す概略正面図。
【図９】本発明の第１実施例の椅子が使用状態の時を示す概略右側面図。
【図１０】本発明の第１実施例の支持脚が使用状態のままで座板が収納状態にされた時を示す右側面概略図。
【図１１】本発明の第１実施例の椅子が収納状態の時を示す概略右側面図。
【図１２】本発明の第１実施例の椅子が収納状態の時で座板の回動が阻止された時を示す概略右側面図。
【図１３】本発明の副仕切体を示す斜視図。
【発明を実施するための形態】
【００１９】
本発明は、室内に複数台配設されたベッド間に設置され、ベッド間を仕切る方向に立設する仕切壁が備えられ、仕切壁は、仕切る方向を左右方向とされ、仕切壁の少なくとも左右いずれかの端部から所定の間隔を有した位置に、仕切壁を挟み前後一対の椅子が設けられ、椅子には、仕切壁面から前方に向けられた座板が備えられ、座板は、回動収納が可能に施され、前記所定の間隔を有した側の椅子の端部側の近傍の仕切壁にテーブルが設けられ、テーブルには、仕切壁面から前方に向けられた天板が備えられ、天板は、回動収納が可能に施され、天板の使用時の高さは、座板の上面よりも高い位置とされ、天板は、天板の前端が、前記座板の前端より前方に突出するともに、天板の椅子側端部の前方側は、椅子側に突出して形成され、座板のテーブル側端部の形状は、天板の前記椅子側への突出形態と略平行を成すように形成され、さらに、座板は、左右方向に長い長方形とされ複数人着座可能であるとともに、座板の前端部とテーブル側の端部とで形成されるコーナー部の角部がない形態とされものであって、天板の椅子側端部下面と、座板の天板側端部上面の間は、開放された状態とされ、天板下方部には足を入れることができる着座空間が設けられた間仕切家具である。
【実施例１】
【００２０】
このように構成された本件間仕切家具における第１実施例を、添付図面に基づいて詳述する。
【００２１】
本発明に係る間仕切家具１は、図１に示すように、病室の大部屋や介護・養護施設の多床室のベッドの間に設置し、患者のプライバシー空間を形成するものである。
【００２２】
間仕切家具１は、廊下側壁面（図示せず。）と建屋外を臨む窓Ｓ側壁面と、廊下側壁面と窓Ｓ側壁面の端部をつなぐ壁面Ｗで形成された病室で使用されるものであって、壁面Ｗ側を枕元側にして、廊下側壁面に平行に設置されるベッドＢ１と、窓Ｓ側壁面に平行に設置されるベッドＢ２との間に、ベッドの長尺方向と平行に配設されるものである。
【００２３】
間仕切家具１は、ベッド間を仕切る方向、すなわちベッドＢ１、Ｂ２の長尺方向を左右方向とし、左右方向に延び、所定の高さを有する仕切壁１０と、該仕切壁１０の左右両端部のそれぞれに取付けられる板状のベッド足元側の脚体１１、ベッド枕元側の脚体１２と、仕切壁１０のベッドの枕元側に、仕切壁１０を挟む前後一対の収納装置１３、１３とを備えており、
仕切壁１０のベッドの足元側の端部から所定の間隔１０１をあけた仕切壁１０には、仕切壁１０を挟む前後一対の椅子１４、１４が備えられ、椅子１４は、座板１５と座板１５を支持する支持脚１６で構成されている。
そして前記、所定の間隔１０１の仕切壁１０には、仕切壁１０を挟む前後一対のテーブル１７、１７備えられている。
【００２４】
椅子１４の上方側の仕切壁１０の所定の位置に、半透明の樹脂製の採光板１０２が嵌め込まれ、採光性が保たれている。採光板１０２は病室のレイアウトや照明器具の配置に応じて、半透明、不透明を使い分けてよい。
また、仕切壁１０ベッドの足元側の上方側には、液晶テレビなどのモニター１０３を設置することもできる。
【００２５】
仕切壁１０の上部には、天井方向に向かって光を照射する照明ユニット１０４が設けられ、照明ユニット１０４は左右方向に延び、仕切壁１０の前後方向に張り出すように構成され、照明ユニット１０４の前記張り出した下面にカーテンレール１０５が設けられ、カーテンレール１０５にはカーテン１０６が吊り下げられている。
尚、実施例において照明ユニット１０４は、仕切壁の一面側に傾けられ取り付けられているが、照明ユニット１０４は、間仕切家具によって仕切られた空間において、窓からの採光が届かず光が不足する場合に光を補うためのものであり、通常、このような間仕切家具で仕切られた部屋は、窓側に面した空間と窓のない空間とに分けられるため、窓側は採光性がよく、照明ユニットによる光の照射が不要なためである。したがって照明ユニット１０４は、光の採光状況によっては仕切壁１０の両面側に照射できるように設けてもよい。
【００２６】
カーテン１０６は、採光板１０２からの採光を遮るものであって、不使用時には、一部が収納装置１３上部に設置されるカーテンボックス１０７に収納される。
【００２７】
カーテンボックス１０７は、仕切壁１０の前方に、仕切壁１０と所定の間隔をあけ、板状のカバー体１０８を設置したものであって、カバー体１０８は、開閉自在に設置される。カバー体１０８を開放することにより、カーテンボックス内の清掃ができる。また、開放したところから臨む仕切壁のエンド部分から、壁面Ｗに対して螺子を打ち、間仕切家具１と壁面Ｗを固定し、間仕切家具１の転倒を防止することができる。（図示せず）
【００２８】
脚体１１、１２は、板状であって、仕切壁１０の前後方向に向かって張り出すように設けられ、高さは、テーブル１７の下面よりやや高い位置までであって、脚体１１、１２と仕切壁１０とで平面視Ｈ型を成すように構成されている。
【００２９】
収納装置１３は、前方側が開口とされた筐体であって、前後方向に引き出す引出し１３１、１３１、１３１が備えられ、下部はオープン棚１３２とされている
当然ながら、収納装置１３には、引出しの代わりに開き扉を設けることもでき、筐体の大きさも用途に合わせて適宜設定することができる。
【００３０】
テーブル１７は、天板１８と脚体１１に設けられた天板受け１１１とで構成され、天板１８は、使用状態において、座板１６の前端部より前方まで突出した前後方向に長尺な板状であって、天板の椅子１４側の端面側の前方側には、椅子の方向に隆起するように突出した突出部１８ａが形成される。
尚、天板１８の前後方向の寸法１８ｂは、病院等で提供される食事の配膳トレーを載せることができる４００〜５００ミリメートルほどの寸法が望ましい。
天板１８の床からの高さは、一般的な机と同じく６５０〜７５０ミリメートルの高さが望ましい。
【００３１】
また、突出部１８ａの突出量１８ｃは、テーブル１７の使用者が、椅子の端部付近で真横に向かってテーブル１７と正対し着座するのではなく、仕切壁にやや背を向けて斜め方向の状態に着座し、テーブル１７が使用できる姿勢がとれる程度が望ましい。したがって、平面視における突出部１８ａの椅子側に面する端部の形状は、仕切壁１０と平行を成さずに、天板側から椅子側に向かって斜め前方に傾斜した形態が望ましく、意匠的には、座板１５のテーブル側端部の形状と略平行を成すように形成されるのが望ましい。
さらに、後述する天板１８と座板１５の収納状態において、互いに干渉しないような形状とされている。
【００３２】
そして、天板１８の仕切壁１０側がヒンジ１８１、１８１を介して、仕切壁１０に支持されている。
天板１８は、ヒンジ１８１、１８１によって、上下方向に回動自在とされているので、天板１８は、使用状態から前記ヒンジ１８１を水平回動軸として上方にむかって回動し、使用状態から約９０度回動した位置で、仕切壁１０に備えられたマグネットキャッチ１０ａで支持され収納状態とすることができる。
【００３３】
当然ながら、天板１８は、上方ではなく下方に回動させてもよい。
その場合、天板１８は、使用状態において、天板受け１１１の代わりに、公知技術である折り畳み式の棚受けなどで支持されることになる。
しかしながら、下方に回動させると、天板１８の収納時に天板１８の使用面が、間仕切家具の下方部の表面側に露出することになり、座板の使用面に人の靴などが当ることになるため、衛生面、特に院内感染防止の上において好ましいとはいえないので、天板の前後寸法を短く、あるいは、設置高さを高くするなどの配慮が必要である。
【００３４】
座板１５は、平面視において、左右方向に長い長方形を成した板状であって、座板１５のベッドの枕側の下面が、収納装置１３に設けられた座板受け１３３に支持され、座板１５の仕切壁１０側がヒンジ１５１、１５１を介して、仕切壁１０に支持されている。そして、座板１５のベッドの足元側の下面が、支持脚１６によって支持されている。
【００３５】
座板１５は、ヒンジ１５１、１５１によって、上下方向に回動自在とされているので、座板１６は、使用状態から前記ヒンジ１５１を水平回動軸として上方にむかって回動し、使用状態から約９０度回動した位置で、仕切壁１０に備えられたマグネットキャッチ１０ｂに支持され収納状態とすることができる。
【００３６】
尚、座板１５は、平面視、左右方向に長い長方形を成しているが、これは複数人が座板に着座できるように配慮したものであり、間仕切家具１の左右の長さ、天板１８の大きさ、収納装置１３によって変動し、平面視、略正方形を成した一人掛け用の座板としてもよい。
また、平面視において、座板１５の前端部とテーブル側の端部とで形成されるコーナー部１５ｂは、テーブルの使用者が、テーブル側にやや斜めを向いて着座するため、角部がない形態が望ましく、実施例では円弧状に形成されている。他にも面取りの状の形状なども考えられる。
【００３７】
そして、座板１５の前後方向の寸法１５ｃは、面会者が、ベッド側にむかって着座することができ、かつ、使用状態においても通行の妨げになりにくい２８０〜４００ミリメートルほどの寸法が望ましい。
座板１５の床からの高さは、一般的な椅子と同じく３５０〜４５０ミリメートルの高さが望ましい。
【００３８】
当然のごとく、座板１５は、上方ではなく下方に回動させてもよいが、下方に回動させた場合、座板１５の着座面が、座板１５の収納時に間仕切家具の表面下方部に位置し、かつ、表面側に露出することになり、座板の着座面に人の靴などが当ることになるため、衛生面、特に院内感染防止の上において好ましいとはいえないので、別途収納時用のカバーを設けるなど配慮が必要である。
【００３９】
支持脚１６は、板状であって、椅子１４の使用時に仕切壁１０と平行に立設し、上部側がヒンジ１６１を介して、座板１５の使用時の下面１５ａの前端部寄りに支持されている。
そして、支持脚１６は、ヒンジ１６１によって、水平方向に回動自在とされており、椅子１４の使用状態から、座板１５が上方に回動され収納状態とされると、支持脚１６は、前方に向かって突出した状態となる。
次に、支持脚１６を、ヒンジ１６１を水平回動軸として下向きに約９０度回動し、座板１５に沿った状態で収納することができる。
尚、ヒンジ１６１は、ヒンジ１６１の回動方向に抵抗が付与されたものや、折りたたみテーブルなどで広く知られている、ロック機構がついたものなどを適宜使用すればよい。
【００４０】
次に、座板１５と支持脚１６の収納状態において、支持脚１６の下端面１６ａの下方部の仕切壁１０には、当接片１０ｃが設けられ、当接片１０ｃの上面は当接面１０ｄとされる。
【００４１】
下端面１６ａと当接面１０ｄは近接した状態に設定され、椅子１４の収納時、すなわち座板１５と支持脚１６の収納時に、座板１５が回動操作をされると、座板１５が一定角度回動したのち、支持脚１６の下端面１６ａが、当接片１０ａの当接面１０ｂに当接し、座板１５の回動が阻止される。
【００４２】
したがって、支持脚１６が使用状態にないときに、座板１５を展開し、使用者が誤って座板１５に着座することによる破損、怪我などを防止することができる。
【００４３】
そして、支持脚１６の使用状態とした時、すなわち座板１５が収納状態で、支持脚１６が前方に突出した状態の時に、座板１６が回動操作をされても、支持脚１６の下端面１６ａは、どこにも当接しないので使用状態まで回動させることができる。
【００４４】
当然のごとく、当接片１０ｃがなくとも、支持脚１６と座板１５の収納状態から、座板１５を回動させると、支持脚１６の下面が仕切壁１０に当接し、回動が阻止されるが、当接片１０ｃを設けたほうが、座板１５の回動を早期に阻止できるので、使用者が戸惑うことなく使い勝手がよい。
【００４５】
尚、支持脚１６の収納状態における下端面１６ａと、当接片１０ａの当接面１０ｂとの間隔をより小さく設定することによって、座板の回動が阻止される時の座板の開き具合（角度）を小さく設定することができる。
【００４６】
このように間仕切家具１は構成され、天板１８の下方部には障害物がなく、足を入れることができる着座空間が設けられ、天板１８の椅子側の下方と、座板１５の天板１８側の上部の間は障害物がなく開放状態とされ、座板１５と天板１８の床からの高さは、それぞれ一般的な椅子、机と同じ高さに設定されているので、椅子１４に着座し、テーブル１７の下に足を入れテーブル１７に向かってテーブル１７を使用することができる。
【００４７】
そして、このように構成された間仕切家具１には、副仕切体２が装着され、延長することができる。
副仕切体２は、板状の底板２０１と底板２０１に立設する副仕切壁２０２とで構成される。 
副仕切壁２０２は、上端が仕切壁１０と同じ高さに設定され、仕切壁１０の延長方向に立設し、底板２０１は、下面にキャスター２０３が装着され、副仕切体２が移動自在とされている。なお、副仕切体２には、必要に応じてベッドの足元側からの視線を遮るエンドパネル２０４や、収納装置２０５、コートフック２０６などが備えられる。
【００４８】
間仕切家具１と副仕切体２は、間仕切家具１に設けられた突起片１０９に、副仕切体２に設けられた嵌合溝部２０７を挿入し、装着状態とされる。
そして、装着状態で副仕切体２に設けられた鈎２０８を操作し、鉤２０８に備えられたＬ字状の鈎片２０９を間仕切家具に設けられた鈎孔１１０に係合させることによって、副仕切体２を不動に連結することができる。
【００４９】
嵌合溝２０７は、副仕切壁２０２の間仕切家具側端面に設けられ、前記端面の上下方向のほぼ中央部から上下方向に凹溝状に形成されている。
嵌合溝部２０７の所定の箇所に鈎２０８が設けられ、鈎を操作することで、鈎片２０９が嵌合溝２０７内に突出自在とされている。
【００５０】
突起片１０５は、前記嵌合溝２０７に内包される形状を成し、仕切壁１０のベッドの足元側端面と脚体１１の側面とで形成される間仕切家具端部の上下方向のほぼ中央部から、上下方向に向かって延伸する方向で取り付けられている。
そして、突起片１０９には前記鈎片２０９に対応した鈎孔１１０が設けられている。
【００５１】
嵌合溝２０７の幅、深さ、長さは適宜設定されるものであるが、幅、深さは、副仕切壁２０２の厚さの約半分相当の大きさで設定するのが副仕切壁２０２強度面から望ましい。長さは、副間仕切体の前後の揺れを防止するためにも３００ミリ以上有したものが望ましいが、長さを短くした溝を、上下方向に複数設けることでも良い。
【００５２】
通常、間仕切家具全体の長さを、ベッドの長尺方向と略同じ長さとし、個室風の空間を形成するが、この場合、ベッドを搬出させる際、ベッドは所定の位置から引き出され、出入口に向って直角に曲がる軌跡を辿りながら移動されるので、間仕切家具が障害となり、スムーズな搬出を行なうことが出来ない。副仕切体２は、副仕切体２を間仕切家具１に装着することによって、ベッドの長尺方向と略同じ長さとし、ベッドの搬出時には、副仕切体２を切り離し、移動させることによって障害にならないようするものである。
【産業上の利用可能性】
【００５３】
以上のように、本発明は、病室の大部屋や介護・養護施設の多床室のベッド間に設置し、患者のプライバシー空間を確保する間仕切家具にかかわるものであり、間仕切機能に加え、天板、椅子を備え、別途椅子を用意することなく、着座してテーブルを使用でき、かつ、テーブル、椅子が収納可能であるから、病室の床面積に左右されず、病室の大部屋や介護・養護施設の多床室の患者のプライバシー空間を確保する間仕切りとして広く利用することができる。
【符号の説明】
【００５４】
Ｂ１              廊下側ベッド
Ｂ２              窓側ベッド
Ｗ                壁面
Ｓ                窓
１                間仕切家具
１４              椅子
１５              座板
１６              支持脚
１７              テーブル
１８              天板
１８ａ            突出部
【図１】
0005869300.tif 000002
【図２】
0005869300.tif 000003
【図３】
0005869300.tif 000004
【図４】
0005869300.tif 000005
【図５】
0005869300.tif 000006
【図６】
0005869300.tif 000007
【図７】
0005869300.tif 000008
【図８】
0005869300.tif 000009
【図９】
0005869300.tif 000010
【図１０】
0005869300.tif 000011
【図１１】
0005869300.tif 000012
【図１２】
0005869300.tif 000013
【図１３】
0005869300.tif 000014